(57)【要約】      （修正有）【課題】建築物から離れた場所に固定物を必要とせず、しかも、日差しや雨が漏れない広幅の複合伸縮テント屋根装置を提供する。【解決手段】複数の伸縮テント屋根部材ＭＴを、互いに平行な方向に伸縮可能に、建築物の所定位置に設けてなると共に、互いに隣り合う１対の伸縮テント屋根部材ＭＴ同士の間隙を覆うように補助テント屋根部材ＳＴを設けてなり、補助テント屋根部材ＳＴは、少なくとも一方の伸縮テント屋根部材ＭＴの伸長に追従して伸長され、双方の伸縮テント屋根部材ＭＴの収縮に追従して収縮されるものである。【選択図】図１
0003155939.tif 000002
【実用新案登録請求の範囲】
【請求項１】
複数の主伸縮テント屋根部材（ＭＴ）を、互いに平行な方向に伸縮可能に、建築物の所定位置に設けてなると共に、互いに隣り合う１対の主伸縮テント屋根部材（ＭＴ）同士の間隙を覆うように補助テント屋根部材（ＳＴ）を設けてなり、補助テント屋根部材（ＳＴ）は、少なくとも一方の主伸縮テント屋根部材（ＭＴ）の伸長に追従して伸長され、双方の主伸縮テント屋根部材（ＭＴ）の収縮に追従して収縮されるものであることを特徴とする複合伸縮テント屋根装置。
【請求項２】
主伸縮テント屋根部材（ＭＴ）は、先端縁を緊張状態に保持する先端部材（ＭＴｓ）を有し、補助テント屋根部材（ＳＴ）は、先端縁を緊張状態に保持し、かつ、互いに隣り合う１対の主伸縮テント屋根部材（ＭＴ）の先端部材（ＭＴｓ）と係合する先端係合部材（ＳＴｓ）を有していることを特徴とする請求項１に記載の複合伸縮テント屋根装置。
【請求項３】
補助テント屋根部材（ＳＴ）は、互いに隣り合う１対の主伸縮テント屋根部材（ＭＴ）同士の間隙を上方から覆うものであることを特徴とする請求項１または請求項２に記載の複合伸縮テント屋根装置。
【請求項４】
補助テント屋根部材（ＳＴ）は、巻き取り方向に付勢力が付与された巻き取り部材（ＳＴｍ）を有していることを特徴とする請求項１から請求項３の何れかに記載の複合伸縮テント屋根装置。
【請求項５】
主伸縮テント屋根部材（ＭＴ）は、先端部に設けられた軒樋部材（ＭＴｎ）と、主伸縮テント屋根部材（ＭＴ）の伸縮に追従して伸縮され、かつ、軒樋部材（ＭＴｎ）と連通されるパイプ樋部材（ＭＴｐ）とを有することを特徴とする請求項１から請求項４の何れかに記載の複合伸縮テント屋根装置。
【考案の詳細な説明】
【技術分野】
【０００１】
本考案は、建築物の近傍の広範囲にわたる領域を雨や日差しから護るために好適な、新規な複合伸縮テント屋根装置に関する。
【背景技術】
【０００２】
従来から、店先の陳列商品、来店客等のために、日差しを遮ったり、雨を防いだりするために、伸縮可能に構成してなる伸縮テント屋根が店舗の軒先等に設けられている。
このような伸縮テント屋根装置を設けておけば、日差しが強い場合、雨が降っている場合のように、必要な場合にのみテント屋根を伸長させて、日差しを遮ったり、雨を防いだりすることができ、陳列商品の保護を達成し、来店客の便宜を図ることができる（特許文献１参照）。
また、伸縮テント屋根の幅についてみれば、理論的には、所望の幅に設定することが可能であるが、実際上は、テント屋根自体の強度、テント屋根自体の重量、テント屋根を伸縮させるために必要な力等を考慮する必要があるので、余り長くない幅（例えば、１８０ｃｍ、２７０ｃｍの幅）に設定されている。
【０００３】
したがって、建築物の間口が著しく大きい場合には、２つ以上の伸縮テント屋根を互いに平行に設けることが必要になる。
そして、このように、建築物の間口に見合った数の伸縮テント屋根を互いに平行に設けることによって、広範囲にわたる領域を日差しや雨から護ることができると思われる。
しかし、実際には、巻き取り・繰り出しドラムの全長が庇シートの幅と等しく設定されていても、巻き取り・繰り出しドラムの回転軸は庇シートの幅よりも長く設定されることにより、この回転軸を回転自在に支持しているのであるから、必然的に、隣り合う庇シート同士の間に間隙が生じてしまう。
そして、この間隙の部分は、日差しや雨を防ぐことができないので、伸縮テント屋根全体としてみた場合には、不完全なものになってしまう。
【先行技術文献】
【特許文献】
【０００４】
【特許文献１】特開２００７−２０５１３７号公報
【考案の概要】
【考案が解決しようとする課題】
【０００５】
本考案が解決しようとする課題は、以下の通りである。
○本考案が解決しようとする第１課題
建築物から離れた場所に固定物を必要とせず、しかも、日差しや雨が漏れない広幅の複合伸縮テント屋根装置を提供することである。
○本考案が解決しようとする第２課題
簡単な構成の複合伸縮テント屋根装置を提供することである。
○本考案が解決しようとする第３課題
伸縮のための操作の煩雑化を防止することができる複合伸縮テント屋根装置を提供することである。
○本考案が解決しようとする第４課題
テント屋根の先端縁から雨水が流れ落ちることを防止することができる複合伸縮テント屋根装置を提供することである。
【課題を解決するための手段】
【０００６】
課題を解決するための手段は、本願の[実用新案登録請求の範囲]の各請求項に記載の考案である。
実用新案登録請求の範囲、明細書、図面等の用語の解釈上の疑義を解消すべく、以下、用語の説明を行うこととする。
＜用語の説明＞
○伸縮テント屋根とは、テント生地で構成された屋根部材であって、テント生地の巻き取り、繰り出しによって伸縮可能に構成されたものをいう。
○補助テント屋根とは、互いに隣り合う１対の伸縮テント屋根の間隙を覆うように補助的に設けられ、かつ、テント生地で構成された屋根部材をいう。
○緊張状態とは、テント屋根の先端縁を垂れ下がらせることなく、先端縁の全範囲を直線状に保持する状態をいう。
○付勢力とは、対象物を所定の方向に駆動することができるように勢い付けるための力をいう。この付勢力は、常に作用し続けているので、この力による駆動を阻止する力が取り除かれれば、直ちに対象物を所定の方向に駆動することができる。
○先端部材とは、テント屋根の先端縁に取り付けられることによって、テント屋根の先端縁を緊張状態に保持するための部材をいう。
○軒樋部材とは、テント屋根部材の先端部の全幅範囲にわたって、雨水を受けるように設けられる樋部材をいい、両端部に雨水導出部を有している。
○パイプ樋部材とは、パイプ形状の樋部材をいい、軒樋部材の両端部の雨水導出部に連通されて雨水を手前側（建築物側）に導くことができるように構成されている。そして、雨水を漏出させることなく、テント屋根部材の伸縮に追従して伸縮するように構成されている。
【０００７】
本考案者は、上記の従来技術が有する各種の問題点に鑑み、鋭意研究を重ねて、本考案を完成した。
本考案者が、本考案が解決しようとする課題の重要性に気付く契機となったのは、従来技術の欠点を生じる最大の原因が、複数の伸縮テント屋根を並列に設ける場合に、伸縮テント屋根同士の間に、間隙が必然的に発生することであることに気付いていなかったことである。
本考案者は、建築物の前の広範囲にわたる領域を、複数の伸縮テント屋根を用いて日差しや雨から効果的に護ることができ、しかも、複数の伸縮テント屋根を伸縮させる操作以外の余分な操作を必要としないものはないかと種々検討・模索を重ねて、本考案を完成した。
課題を解決するための手段は、本願の実用新案登録請求の範囲の各請求項に記載の考案であり、その具体的な解決手段は、以下の通りである。
【０００８】
○第１の考案（請求項１に記載の考案）
上記の課題を解決するための第１の考案（請求項１に記載の考案）は、
複数の主伸縮テント屋根部材ＭＴを、互いに平行な方向に伸縮可能に、建築物の所定位置に設けてなると共に、互いに隣り合う１対の主伸縮テント屋根部材ＭＴ同士の間隙を覆うように補助テント屋根部材ＳＴを設けてなり、補助テント屋根部材ＳＴは、少なくとも一方の主伸縮テント屋根部材ＭＴの伸長に追従して伸長され、双方の主伸縮テント屋根部材ＭＴの収縮に追従して収縮されるものであることを特徴とする複合伸縮テント屋根装置である。
○第２の考案（請求項２に記載の考案）
上記の課題を解決するための第２の考案（請求項２に記載の考案）は、
主伸縮テント屋根部材ＭＴは、先端縁を緊張状態に保持する先端部材ＭＴｓを有し、補助テント屋根部材ＳＴは、先端縁を緊張状態に保持し、かつ、互いに隣り合う１対の主伸縮テント屋根部材ＭＴの先端部材ＭＴｓと係合する先端係合部材ＳＴｓを有していることを特徴とする請求項１に記載の複合伸縮テント屋根装置である。
【０００９】
○第３の考案（請求項３に記載の考案）
上記の課題を解決するための第３の考案（請求項３に記載の考案）は、
補助テント屋根部材ＳＴは、互いに隣り合う１対の主伸縮テント屋根部材ＭＴ同士の間隙を上方から覆うものであることを特徴とする請求項１または請求項２に記載の複合伸縮テント屋根装置である。
○第４の考案（請求項４に記載の考案）
上記の課題を解決するための第４の考案（請求項４に記載の考案）は、
補助テント屋根部材ＳＴは、巻き取り方向に付勢力が付与された巻き取り部材ＳＴｍを有していることを特徴とする請求項１から請求項３の何れかに記載の複合伸縮テント屋根装置である。
第５の考案（請求項５に記載の考案）
上記の課題を解決するための第５の考案（請求項５に記載の考案）は、
主伸縮テント屋根部材ＭＴは、先端部に設けられた軒樋部材ＭＴｎと、主伸縮テント屋根部材ＭＴの伸縮に追従して伸縮され、かつ、軒樋部材ＭＴｎを連通されるパイプ樋部材ＭＴｐとを有することを特徴とする請求項１から請求項４の何れかに記載の複合伸縮テント屋根装置である。
【考案の効果】
【００１０】
本考案に係る複合伸縮テント屋根装置は、上記のような特徴的構成要件から構成され、特徴的構成要件に応じた、以下のような本願考案特有の効果を奏する。
また、上記のような特徴的構成要件から構成された複合伸縮テント屋根装置によれば、本願考案が解決しようとする課題を解決することができた。
○第１の考案の効果
第１の考案によれば、
複数の主伸縮テント屋根部材ＭＴを、互いに平行な方向に伸縮可能に、建築物の所定位置に設けてなると共に、互いに隣り合う１対の主伸縮テント屋根部材ＭＴ同士の間隙を覆うように補助テント屋根部材ＳＴを設けてなり、補助テント屋根部材ＳＴは、少なくとも一方の主伸縮テント屋根部材ＭＴの伸長に追従して伸長され、双方の主伸縮テント屋根部材ＭＴの収縮に追従して収縮されるものであるという特徴的な構成要件により、
建築物の前に、広範囲にわたって、間断なく日差しや雨を防止することができる領域を実現することができる複合伸縮テント屋根装置を提供することができた。
すなわち、本考案が解決しようとする第１課題を解決することができ、当業者予測不可能な顕著な効果を奏することができた。
【００１１】
○第２の考案の効果
第２の考案によれば、
主伸縮テント屋根部材ＭＴは、先端縁を緊張状態に保持する先端部材ＭＴｓを有し、補助テント屋根部材ＳＴは、先端縁を緊張状態に保持し、かつ、互いに隣り合う１対の主伸縮テント屋根部材Ｍｔの先端部材ＭＴｓと係合する先端係合部材ＳＴｓを有しているという特徴的な構成要件により、
複雑な機構を用いることなく、補助テント屋根部材ＳＴの追従動作を実現することができる複合伸縮テント屋根装置を提供することができた。
すなわち、本考案が解決しようとする第２課題を解決することができ、当業者予測不可能な顕著な効果を奏することができた。
【００１２】
○第３の考案の効果
第３の考案によれば、
補助テント屋根部材ＳＴは、互いに隣り合う１対の主伸縮テント屋根部材ＭＴ同士の間隙を上方から覆うものであるという特徴的な構成要件により、
互いに隣り合う１対の主伸縮テント屋根部材ＭＴ同士の間隙を補助テント屋根部材ＳＴにより確実に覆うことができる複合伸縮テント屋根装置を提供することができた。
すなわち、本考案が解決しようとする第１課題を解決することができ、当業者予測不可能な顕著な効果を奏することができた。
○第４の考案の効果
第４の考案によれば、
補助テント屋根部材ＳＴは、巻き取り方向に付勢力が付与された巻き取り部材ＳＴｍを有しているという特徴的な構成要件により、
複雑な機構を用いることなく、補助テント屋根部材ＳＴの追従動作を実現することができる複合伸縮テント屋根装置を提供することができた。
すなわち、本考案が解決しようとする第３課題を解決することができ、当業者予測不可能な顕著な効果を奏することができた。
【００１３】
○第５の考案の効果
第５の考案によれば、
主伸縮テント屋根部材ＭＴは、先端部に設けられた軒樋部材ＭＴｎと、主伸縮テント屋根部材ＭＴの伸縮に追従して伸縮され、かつ、軒樋部材ＭＴｎと連通されるパイプ樋部材ＭＴｐとを有するという特徴的な構成要件により、
降雨時において、主伸縮テント屋根部材ＭＴの伸縮の程度に拘らず、雨水を軒樋部材ＭＴｎ、及びパイプ樋部材ＭＴｐを通して導くことができ、主伸縮テント屋根部材ＭＴの下の全範囲を雨から効果的に護ることができる複合伸縮テント屋根装置を提供することができた。
すなわち、本考案が解決しようとする第４課題を解決することができ、当業者予測不可能な顕著な効果を奏することができた。
【図面の簡単な説明】
【００１４】
【図１】本考案の複合伸縮テント屋根装置の一実施形態を示す概略平面図である。
【図２】図１の複合伸縮テント屋根装置の概略側面図である。
【図３】補助テント屋根巻き取り部の構成の一例を示す概略拡大平面図である。
【図４】本考案の複合伸縮テント屋根装置の他の実施形態を示す概略側面図である。
【考案を実施するための形態】
【００１５】
以下、添付図面を参照して、本考案の複合伸縮テント屋根装置の実施の形態を詳細に説明する。
第１の考案の複合伸縮テント屋根装置は、
複数の主伸縮テント屋根部材ＭＴを、互いに平行な方向に伸縮可能に、建築物の所定位置に設けてなると共に、互いに隣り合う１対の主伸縮テント屋根部材ＭＴ同士の間隙を覆うように補助テント屋根部材ＳＴを設けてなり、補助テント屋根部材ＳＴは、少なくとも一方の主伸縮テント屋根部材ＭＴの伸長に追従して伸長され、双方の主伸縮テント屋根部材ＭＴの収縮に追従して収縮されるものであることを特徴としている。
第２の考案の複合伸縮テント屋根装置は、
主伸縮テント屋根部材ＭＴは、先端縁を緊張状態に保持する先端部材ＭＴｓを有し、補助テント屋根部材ＳＴは、先端縁を緊張状態に保持し、かつ、互いに隣り合う１対の主伸縮テント屋根部材ＭＴの先端部材ＭＴｓと係合する先端係合部材ＳＴｓを有していることを特徴としている。
【００１６】
第３の考案の複合伸縮テント屋根装置は、
補助テント屋根部材ＳＴは、互いに隣り合う１対の主伸縮テント屋根部材ＭＴの間隙を上方から覆うものであることを特徴としている。
第４の考案の複合伸縮テント屋根装置は、
補助テント屋根部材ＳＴは、巻き取り方向に付勢力が付与された巻き取り部材ＳＴｍを有していることを特徴としている。
第５の考案の複合伸縮テント屋根装置は、
主伸縮テント屋根部材ＭＴは、先端部に設けられた軒樋部材ＭＴｎと、主伸縮テント屋根部材ＭＴの伸縮に追従して伸縮され、かつ、軒樋部材ＭＴｎを連通されるパイプ樋部材ＭＴｐとを有することを特徴としている。
【００１７】
[図１]は、本考案の複合伸縮テント屋根装置の一実施形態を示す概略平面図である。
[図２]は、図１の複合伸縮テント屋根装置の概略側面図である。
[図３]は、補助テント屋根巻き取り部の構成の一例を示す概略拡大平面図である。
[図４]は、本考案の複合伸縮テント屋根装置の他の実施形態を示す概略側面図である。
この複合伸縮テント屋根装置は、店舗等の建築物の所定位置に設けられ、かつ、建築物から張り出すことができるように構成された複数の主伸縮テント屋根部材ＭＴと、隣り合う主伸縮テント屋根部材ＭＴ同士の間隙を覆うように設けられ、かつ、主伸縮テント屋根部材ＭＴの伸縮に追従して伸縮されるように構成された補助テント屋根部材ＳＴとを有している。
【００１８】
主伸縮テント屋根部材ＭＴは、防水布等からなる方形のテント部材ＭＴｔと、テント部材ＭＴｔの先端部に取り付けられた先端部材ＭＴｓと、テント部材ＭＴｔを巻き取ることができるように設けられた巻き取りテントドラム部材ＭＴｍと、巻き取りテントドラム部材ＭＴｍが取り付けられた基部部材ＢＭ（例えば、建築物の壁、支持梁部材等）に対して先端部材ＭＴｓを接近離間可能に連結する伸縮アーム部材ＭＴａとを有している。
ここで、伸縮アーム部材ＭＴａは、それ自体が折れ曲がることによって基部部材ＢＭに対する先端部材ＭＴｓの間隔を増減させるものであってもよいが、それ自体が伸縮することによって基部部材ＢＭに対する先端部材ＭＴｓの間隔を増減させるものであってもよい。そして、このような伸縮アーム部材の構成は従来公知であるから、詳細な説明、及び図示を省略する。
先端部材ＭＴｓは、ある程度の剛性があり、かつ、任意の形状を有しているものであればよい。
巻き取りテントドラム部材ＭＴｍは、テント部材ＭＴｔを巻き取ることができるドラム部材であればよく、手動操作によって動作されるものであってもよく、モーター等によって駆動されるものであってもよい。
【００１９】
図１、図２において、巻き取りテントドラム部材ＭＴｍは、基部部材ＢＭから離れた状態で示されているが、実際には、図示しない取り付け用補助部材を介して基部部材ＢＭに取り付けられている。
また、建築物（店舗等）の間口が広い場合には、１つの主伸縮テント屋根部材ＭＴだけでは、間口の全範囲をカバーすることができないので、図１に示すように、２つ以上の主伸縮テント屋根部材ＭＴを並列に取り付けることによって、間口の全範囲をカバーすることになる。
そして、この場合には、取り付け用補助部材を含めた巻き取りテントドラム部材ＭＴｍの幅がテント部材ＭＴｔの幅よりも大きくなっているので、必然的に、隣り合う巻き取りテントドラム部材ＭＴｍの間に間隙が生じてしまう。
補助テント屋根部材ＳＴは、隣り合う巻き取りテントドラム部材ＭＴｍ同士の間隙を覆うように設けられている。
【００２０】
補助テント屋根部材ＳＴは、隣り合う巻き取りテントドラム部材ＭＴｍ同士の間隙よりも広幅（好ましくは、間隙の２倍以上の幅）の、防水布等からなる方形のテント部材ＳＴｔと、テント部材ＳＴｔの先端部に取り付けられた先端係合部材ＳＴｓと、テント部材ＳＴｔを巻き取ることができるように設けられた巻き取り部材ＳＴｍとを有している。
先端係合部材ＳＴｓは、ある程度の剛性があり、かつ、先端部材ＭＴｓと係合することができる形状を有するものであればよい。ここで、係合の態様としては、主伸縮テント部材ＭＴのテント部材ＭＴｔの伸長に追従してテント部材ＳＴｔが伸長され、かつ主伸縮テント部材ＭＴのテント部材ＭＴｔの収縮に追従してテント部材ＳＴｔが収縮されるように係合されていればよく、任意の係合態様が採用可能である。
巻き取り部材ＳＴｍは、テント部材ＳＴｔを巻き取る方向の力が常に付与されているものであり、この力によって、テント部材ＳＴｔの追従伸縮動作を実現することができる。この力の付与は、図３に示すように、例えば、ばね部材を用いることによって達成することができるが、ばね以外の部材を用いてもよいことはもちろんである。具体的には、図３においては、固定軸部材ＳＴｍ１と、固定軸部材ＳＴｍ１を中心として回転自在なドラム部材ＳＴｍ２と、固定軸部材ＳＴｍ１の所定位置に一方の端部が連結され、かつドラム部材ＳＴｍ２の所定位置に他方の端部が連結されたばね部材ＳＴｍ３とを有し、テント部材ＳＴｔを巻き取る方向にドラム部材ＳＴｍ２を回転させるように、ばね部材ＳＴｍ３によって常に力が付与されている。
【００２１】
上記の構成の複合伸縮テント屋根装置の作用は次のとおりである。
店舗が営業を行っていない場合等には、主伸縮テント屋根部材ＭＴは、巻き取りテントドラム部材ＭＴｍによってテント部材ＭＴｔが完全に巻き取られた状態である。したがって、補助テント屋根部材ＳＴは、巻き取り力が常に付与されている巻き取り部材ＳＴｍによってテント部材ＳＴｔが巻き取られた状態である。
店舗が営業を開始するような場合には、先ず、主伸縮テント屋根部材ＭＴの巻き取りテントドラム部材ＭＴｍを操作することによって、または巻き取りテントドラム部材ＭＴｍの動作を指示することによって、テント部材ＭＴｔを伸長させる。なお、この操作は、隣り合う主伸縮テント屋根部材ＭＴについて、同時に行ってもよいが、一方を先に行い、他方を後に行ってもよい。
【００２２】
隣り合う主伸縮テント屋根部材ＭＴのうち、少なくとも一方の主伸縮テント屋根部材ＭＴのテント部材ＭＴｔが伸長されれば、テント部材ＭＴｔの先端部材ＭＴｓが補助テント屋根部材ＳＴのテント部材ＳＴｔの先端係合部材ＳＴｓと係合することによって、補助テント屋根部材ＳＴのテント部材ＳＴｔに対して巻き取り部材ＳＴｍによる巻き取り力に抗する力を作用させることができ、この力によって、補助テント屋根部材ＳＴのテント部材ＳＴｔを伸長させることができる。
すなわち、少なくとも一方の主伸縮テント屋根部材ＭＴの伸長に追従させて補助テント屋根部材ＳＴを伸長させることができる。
また、店舗が営業を終了するような場合には、先ず、主伸縮テント屋根部材ＭＴの巻き取りテントドラム部材ＭＴｍを操作することによって、または巻き取りテントドラム部材ＭＴｍの動作を指示することによって、テント部材ＭＴｔを収縮させる。なお、この操作は、隣り合う主伸縮テント屋根部材ＭＴについて、同時に行ってもよいが、一方を先に行い、他方を後に行ってもよい。
【００２３】
隣り合う主伸縮テント屋根部材ＭＴのうち、一方の主伸縮テント屋根部材ＭＴのテント部材ＭＴｔが伸長されたままの状態であれば、他方の主伸縮テント屋根部材ＭＴのテント部材ＭＴｔが収縮されても、補助テント屋根部材ＳＴのテント部材ＳＴｔは伸長状態のままである。
その後、一方の主伸縮テント屋根部材ＭＴのテント部材ＭＴｔが収縮されれば、補助テント屋根部材ＳＴのテント部材ＳＴｔは、巻き取り部材ＳＴｍによる巻き取り力が作用し続けていることに起因して、一方の主伸縮テント屋根部材ＭＴのテント部材ＭＴｔの収縮に追従して収縮する。
すなわち、双方の主伸縮テント屋根部材ＭＴの収縮に追従させて補助テント屋根部材ＳＴを収縮させることができる。
【００２４】
[図４]は、本考案の複合伸縮テント屋根装置の他の実施形態を示す概略側面図である。
この複合伸縮テント屋根装置においては、主伸縮テント屋根部材ＭＴが、軒樋部材ＭＴｎとパイプ樋部材ＭＴｐとを有している。なお、他の部分の構成は、上記の実施態様と同様であるから、これらの部分の説明は省略する。
軒樋部材ＭＴｎは、半円筒状断面形状、半矩形断面形状等、任意の断面形状を有すると共に、主伸縮テント屋根部材ＭＴのテント部材ＭＴｔの幅と等しい長さを有するものであり、先端が下がるように、斜め下向きに伸長されたテント部材ＭＴｔを流れ落ちる雨水を効果的に受けることができるようにしてある。そして、長手方向のそれぞれの端部寄り下面に雨水導出部（図示せず）が設けてある。
【００２５】
パイプ樋部材ＭＴｐは、円筒状断面形状を有するものであり、一方の端部に、軒樋部材ＭＴｎの雨水導出部と回転自在、かつ水密的に連結される回転ジョイント樋部材（図示せず）を有し、他方の端部に、基部部材ＢＭに設けられた竪樋部材（図示せず）と回転自在、かつ水密的に連結される回転ジョイント樋部材（図示せず）を有している。そして、パイプ樋部材ＭＴｐの本体部は、内径及び外径が異なる複数のパイプ樋要素から構成されており、これらのパイプ樋要素同士を、スライド自在、かつ水密的に連結することによって、パイプ樋部材ＭＴｐが主伸縮テント屋根部材ＭＴの伸縮に追従して伸縮するようになっている。
ここで、回転ジョイント樋部材は、例えば、雨水導出部の下端部を水平外向きになるように構成すると共に、パイプ樋部材ＭＴｐの一方の端部を水平内向きになるように構成し、水平外向き部と水平内向き部を回転自在、かつ水密的に連結した構成を有しているが、この構成に限定されず、回転自在、かつ水密的な連結を達成できる他の任意の構成を採用することが可能である。
なお、この実施形態において、補助テント屋根部材ＳＴの先端係合部材ＳＴｓは、テント部材ＳＴｔよりも少しだけ上方に突出する形状に構成され、テント部材ＳＴｔ上を流下した雨水がそのまま先端係合部材ＳＴｓを乗り越えて流れ落ちることを阻止し、両側の主伸縮テント屋根部材ＭＴ上に流れ落ちるようにしておくことが好ましい。
【００２６】
この実施態様の複合伸縮テント屋根装置の作用は次の通りである。
なお、主伸縮テント屋根部材ＭＴと補助テント屋根部材ＳＴの連携動作は上述の通りであるから、ここでは説明を省略する。
隣り合う１対の主伸縮テント屋根部材ＭＴが伸長された状態では、補助テント屋根部材ＳＴも追従して伸長されているので、主伸縮テント屋根部材ＭＴ同士の間隙が補助テント屋根部材ＳＴによって覆われている。
したがって、降雨時には、主伸縮テント屋根部材ＭＴ及び補助テント屋根部材ＳＴによって、漏れのない複合型のテント屋根を構成することができる。
そして、雨水は、主伸縮テント屋根部材ＭＴ上を流下し、あるいは、補助テント屋根部材ＳＴ及び主伸縮テント屋根部材ＭＴ上を流下し、軒樋部材ＭＴｎにより受けられる。軒樋部材ＭＴｎにより受けられた雨水は、パイプ樋部材ＭＴｐ、及び竪樋部材（図示せず）により導かれ、地面に設けられている溝（図示せず）に導かれる。
したがって、複合伸縮テント屋根装置の先端縁から雨水が流れ落ち、歩行者等が雨水によりぬれてしまうという不都合の発生を未然に防止することができる。換言すれば、降雨時であっても、複合伸縮テント屋根装置の下方の空間を、雨水の影響を全く受けない快適な空間にすることができる。
【符号の説明】
【００２７】
ＭＴ      主伸縮テント屋根部材
ＭＴｔ    テント部材
ＭＴｓ    先端部材
ＭＴｍ    巻き取りテントドラム部材
ＭＴａ    伸縮アーム部材
ＭＴｎ    軒樋部材
ＭＴｐ    パイプ樋部材
ＳＴ      補助テント屋根部材
ＳＴｔ    テント部材
ＳＴｓ    先端係合部材
ＳＴｍ    巻き取り部材
ＢＭ      基部部材
【図１】
0003155939.tif 000003
【図２】
0003155939.tif 000004
【図３】
0003155939.tif 000005
【図４】
0003155939.tif 000006